(57)【特許請求の範囲】
【請求項１】
照度を検出する第１センサと、
情報を検出する第２センサと、
前記第１センサが検出する照度が閾値を上回った後に閾値を下回ったと判定された場合に、前記第２センサを起動する起動部と、を備えることを特徴とする検出装置。
【請求項２】
前記起動部は、前記第２センサを起動させた後、前記第１センサが検出する照度が閾値を上回ったと判定された場合に前記第２センサの動作を停止させ、その後に前記第１センサが検出する照度が閾値を下回り、閾値を上回り、閾値を下回ったと判定された場合に前記第２センサを再度起動することを特徴とする請求項１記載の検出装置。
【請求項３】
前記第２センサの検出結果を無線で送信する送信装置を備えることを特徴とする請求項１または２記載の検出装置。
【請求項４】
前記第２センサの検出結果を記憶する記憶装置を備えることを特徴とする請求項１〜３のいずれか一項に記載の検出装置。
【請求項５】
前記第１センサは、筐体のいずれかの面に実装され、
前記面において前記第１センサの周囲に接着剤が塗布されていることを特徴とする請求項１〜４のいずれか一項に記載の検出装置。
【請求項６】
前記第１センサおよび前記第２センサに電力を供給するための電源を備え、
前記起動部は、前記電源から前記第１センサに電力が供給されかつ前記電源から前記第２センサに電力が供給されていない状態で、前記第１センサが検出する照度が閾値を下回る状態から閾値を上回った後に閾値を下回ったと判定された場合に、前記電源から前記第２センサへの電力供給を開始することで前記第２センサを起動することを特徴とする請求項１〜５のいずれか一項に記載の検出装置。
【請求項７】
照度を検出する第１センサが検出する照度が閾値を上回った後に閾値を下回ったと判定された場合に、情報を検出する第２センサを起動することを特徴とする検出装置の起動方法。
【請求項８】
前記第１センサおよび前記第２センサに電力を供給するための電源から前記第１センサに電力が供給されかつ前記電源から前記第２センサに電力が供給されていない状態で、前記第１センサが検出する照度が閾値を下回る状態から閾値を上回った後に閾値を下回ったと判定された場合に、前記電源から前記第２センサへの電力供給を開始することで前記第２センサを起動することを特徴とする請求項７記載の検出装置の起動方法。
【請求項９】
照度を検出する第１センサが検出する照度が閾値を上回った後に閾値を下回ったと判定された場合に、情報を検出する第２センサを起動する、処理をコンピュータに実行させることを特徴とする検出装置の起動プログラム。
【請求項１０】
前記第２センサを起動する処理は、前記第１センサおよび前記第２センサに電力を供給するための電源から前記第１センサに電力が供給されかつ前記電源から前記第２センサに電力が供給されていない状態で、前記第１センサが検出する照度が閾値を下回る状態から閾値を上回った後に閾値を下回ったと判定された場合に、前記電源から前記第２センサへの電力供給を開始することで前記第２センサを起動する処理であることを特徴とする請求項９記載の検出装置の起動プログラム。
【発明の詳細な説明】
【技術分野】
【０００１】
本件は、検出装置、検出装置の起動方法および検出装置の起動プログラムに関する。
【背景技術】
【０００２】
センサを備えた検出装置として、ウェアラブルデバイス、ビーコンなどの検出装置が知られている。この検出装置の使用を開始する際には、機械式スイッチ等を用いた起動、取り付け、などの複数段階の操作が必要とされている。この場合、手間がかかることになる。また、機械式スイッチを使用する場合、検出装置の小型化が困難である。
【先行技術文献】
【特許文献】
【０００３】
【特許文献１】特開２００５−３１６７２４号公報
【特許文献２】特開２００６−３５０８９３号公報
【発明の概要】
【発明が解決しようとする課題】
【０００４】
そこで、機械式スイッチの代わりに照度センサを用いることで、検出装置を小型化することが考えられる。しかしながら、これまで、検出装置の起動や取り付け等に要する手間については検討されていない。
【０００５】
１つの側面では、本件は、簡易な操作で使用可能とすることができる検出装置、検出装置の起動装置および検出装置の起動プログラムを提供することを目的とする。
【課題を解決するための手段】
【０００６】
１つの態様では、検出装置は、照度を検出する第１センサと、情報を検出する第２センサと、前記第１センサが検出する照度が閾値を上回った後に閾値を下回ったと判定された場合に、前記第２センサを起動する起動部と、を備える。
【発明の効果】
【０００７】
簡易な操作で使用可能とすることができる。
【図面の簡単な説明】
【０００８】
【図１】（ａ）は実施例１に係る検出装置の全体構成を表すブロック図であり、（ｂ）はコントローラのハードウェア構成を例示するブロック図であり、（ｃ）はコントローラの機能ブロック図である。
【図２】（ａ）および（ｂ）は被取付対象を例示する図である。
【図３】（ａ）〜（ｅ）は検出装置のモードの切替について例示する図である。
【図４】照度センサが検出する照度と検出装置のモードとの関係を例示する図である。
【図５】フローチャートを例示する図である。
【発明を実施するための形態】
【０００９】
以下、図面を参照しつつ、実施例について説明する。
【実施例１】
【００１０】
図１（ａ）は、実施例１に係る検出装置１００の全体構成を表すブロック図である。検出装置１００は、一例として、電源１０、センサ部２０、コントローラ３０、発光装置４０、報知装置５０、通信装置６０、記憶装置７０などを備える。センサ部２０は、一例として、加速度センサ２１、照度センサ２２、地磁気センサ２３、温度センサ２４、気圧センサ２５などを備える。
【００１１】
電源１０は、一次電池、二次電池などであり、各部に電力を供給する。センサ部２０の各センサは、検出装置１００に関わる情報を検出するセンサである。加速度センサ２１は、検出装置１００にかかる加速度に応じた信号をコントローラ３０に出力する。照度センサ２２は、検出装置１００の周囲の照度に応じた信号をコントローラ３０に出力する。地磁気センサ２３は、検出装置１００の位置における地磁気に応じた信号をコントローラ３０に出力する。温度センサ２４は、検出装置１００の周囲の温度に応じた信号をコントローラ３０に出力する。気圧センサ２５は、検出装置１００の周囲の気圧に応じた信号をコントローラ３０に出力する。
【００１２】
図１（ｂ）は、コントローラ３０のハードウェア構成を例示するブロック図である。図１（ｂ）で例示するように、コントローラ３０は、ＣＰＵ１０１、ＲＡＭ１０２、記憶装置１０３、インタフェース１０４などを備える。これらの各機器は、バスなどによって接続されている。
【００１３】
ＣＰＵ（Ｃｅｎｔｒａｌ  Ｐｒｏｃｅｓｓｉｎｇ  Ｕｎｉｔ）１０１は、中央演算処理装置である。ＣＰＵ１０１は、１以上のコアを含む。ＲＡＭ（Ｒａｎｄｏｍ  Ａｃｃｅｓｓ  Ｍｅｍｏｒｙ）１０２は、ＣＰＵ１０１が実行するプログラム、ＣＰＵ１０１が処理するデータなどを一時的に記憶する揮発性メモリである。記憶装置１０３は、不揮発性記憶装置である。記憶装置１０３として、例えば、ＲＯＭ（Ｒｅａｄ  Ｏｎｌｙ  Ｍｅｍｏｒｙ）、フラッシュメモリなどのソリッド・ステート・ドライブ（ＳＳＤ）、ハードディスクドライブに駆動されるハードディスクなどを用いることができる。本実施例に係る起動プログラムは、記憶装置１０３に記憶されている。
【００１４】
ＣＰＵ１０１が起動プログラムを実行することによって、図１（ｃ）で例示するように、判定部３１、起動部３２および制御部３３がコントローラ３０内に実現される。判定部３１は、照度センサ２２から受け取る信号に基づいて照度を計測し、当該照度と閾値との大小関係を判定する。起動部３２は、判定部３１の判定結果に基づいて検出装置１００の待機モードと起動モードとを切り替える。制御部３３は、センサ部２０の各センサの出力信号に応じて、発光装置４０、報知装置５０および通信装置６０の動作を制御する。また、制御部３３は、センサ部２０の各センサの出力信号に応じた検出結果を記憶装置７０に記憶させる。
【００１５】
ここで、検出装置１００の待機モードとは、照度センサ２２が起動しており、照度センサ２２以外の少なくともいずれかのセンサが停止している状態のことである。センサが起動している状態は、当該センサに電力が供給されている状態のことである。センサが停止している状態は、当該センサに電力が供給されていない状態のことである。検出装置１００の起動モードとは、照度センサ２２および照度センサ２２以外の少なくともいずれかのセンサが起動している状態のことである。なお、一例として、本実施例においては、検出装置１００の待機モードとは、照度センサ２２が起動し、他のセンサが停止している状態である。また、一例として、本実施例においては、検出装置１００の起動モードとは、センサ部２０の全てのセンサが起動している状態である。
【００１６】
発光装置４０は、例えばＬＥＤなどであり、制御部３３からの指示に従って発光する。報知装置５０は、例えばブザーなどであり、制御部３３からの指示に従って警報を発する。通信装置６０は、例えばアンテナなどを備えた送信装置であり、制御部３３からの指示に従って情報を送信する。例えば、通信装置６０は、センサ部２０の各センサの出力信号に応じた検出結果をスマートフォンなどの外部機器に送信する。例えば、通信装置６０は、Ｂｌｕｅｔｏｏｔｈ（登録商標）の通信方式を採用している。記憶装置７０は、ＦＲＡＭ（登録商標）（Ｆｅｒｒｏｅｌｅｃｔｒｏｃ  Ｒａｎｄｏｍ  Ａｃｃｅｓｓ  Ｍｅｍｏｒｙ）などである。
【００１７】
検出装置１００は、ウェアラブルデバイス、ビーコン、ロガーなどである。例えば、図２（ａ）で例示するように、検出装置１００は、プレート、パスケース、などに取り付けられる。人などの移動体が、検出装置１００が取り付けられたプレート、パスケースなどを携帯することで、検出装置１００も移動する。または、検出装置１００は、人などの移動体に直接取り付けられる。または、図２（ｂ）で例示するように、検出装置１００は、据え置き型の装置などに取り付けられる。この場合、検出装置１００は、特定の位置で固定される。以下、検出装置１００が取り付けられる対象物を被取付対象と称する。
【００１８】
続いて、図３（ａ）〜図３（ｅ）および図４を参照しつつ、検出装置１００の動作の詳細について説明する。図３（ａ）で例示するように、検出装置１００を構成する筐体は、例えばプレート形状を有する。照度センサ２２は、筐体のいずれかの面に実装されている。例えば、照度センサ２２は、センシング面が当該面から外部に露出するように実装されている。当該面において、照度センサ２２の周囲には接着剤が塗布されている。例えば、両面テープが貼付されている。この両面テープを用いることで、被取付対象に検出装置１００を取り付けることができる。照度センサ２２は、被取付対象に取り付けられる領域がさらされる環境における照度を検出する。なお、検出装置１００を被取付対象に取り付けるための手段は、接着剤に限定されず、例えば磁石などを用いてもよい。
【００１９】
図３（ｂ）で例示するように、検出装置１００の出荷時においては、照度センサ２２を覆うように蓋、シールなどの被覆部材８０が取り付けられている。検出装置１００に被覆部材８０が取り付けられている状態を初期状態と称する。出荷時においては、検出装置１００のモードは、待機モードである。検出装置１００の出荷時においては、照度センサ２２は被覆部材８０によって覆われているため、図４で例示するように、照度センサ２２の出力信号に基づいて計測される照度（以下、検出照度と称する）は閾値を下回る。ユーザが検出装置１００を使用しようとすると、図３（ｃ）で例示するように、該ユーザは、被覆部材８０を取り外すことになる。この場合、図４で例示するように、照度センサ２２の検出照度が閾値を上回る。この状態においては、起動部３２は、検出装置１００の待機モードを維持する。
【００２０】
次に、図３（ｄ）で例示するように、ユーザは、検出装置１００を被取付対象に対して取り付けることになる。この場合、照度センサ２２が被取付対象によって覆われることになるため、図４で例示するように、照度センサ２２の検出照度は閾値を下回る。この状態において、起動部３２は、検出装置１００のモードを起動モードに切り替える。具体的には、制御部３３は、電源１０に照度センサ２２以外のセンサに対して電力を供給させる。起動モードにおいては、制御部３３は、センサ部２０の各センサの出力信号に応じた検出結果を、通信装置６０に送信させる。また、制御部３３は、センサ部２０の各センサの出力信号に応じた検出結果を記憶装置７０に記憶させる。また、制御部３３は、検出装置１００が起動していることを外部に報知するため、発光装置４０に発光させ、もしくは報知装置５０に音などを出力させる。
【００２１】
ユーザは、検出装置１００の使用を停止する場合、図３（ｅ）で例示するように、検出装置１００を被取付対象から取り外すことになる。この場合、図４で例示するように、照度センサ２２の検出照度が再度閾値を上回る。この状態において、起動部３２は、検出装置１００のモードを起動モードから待機モードに切り替える。具体的には、制御部３３は、照度センサ２２以外のセンサへの電源１０からの電力供給を停止する。
【００２２】
その後、ユーザは、被覆部材８０を検出装置１００に取り付けることになる。すなわち、検出装置１００が初期状態となる。それにより、図４で例示するように、照度センサ２２の検出照度が閾値を下回る。ユーザは、検出装置１００を再使用しようとすれば、被覆部材８０を検出装置１００から取り外すことになる。それにより、図４で例示するように、照度センサ２２の検出照度が閾値を上回る。その後にユーザが検出装置１００を被取付対象に取り付けると、照度センサ２２が被取付対象に覆われるため、照度センサ２２の検出照度が閾値を下回る。この状態において、起動部３２は、検出装置１００のモードを起動モードに切り替える。ユーザが被覆部材８０を検出装置１００から外してから再度被覆部材８０を取り付けるまでの期間を利用形態の１サイクルと称することができる。
【００２３】
図５は、以上の検出装置１００の動作の一例を表すフローチャートである。判定部３１は、照度センサ２２の出力信号を用いて照度を計測する（ステップＳ１）。次に、判定部３１は、ステップＳ１で計測される照度が閾値を上回ったか否かを判定する（ステップＳ２）。ステップＳ２で「Ｎｏ」と判定された場合、判定部３１は、所定期間待機した後に（ステップＳ１４）、ステップＳ１を再度実行する。
【００２４】
ステップＳ２で「Ｙｅｓ」と判定された場合、判定部３１は、所定期間待機した後に（ステップＳ３）、照度センサ２２の出力信号を用いて照度を計測する（ステップＳ４）。次に、判定部３１は、ステップＳ４で計測される照度が閾値を下回ったか否かを判定する（ステップＳ５）。ステップＳ５で「Ｎｏ」と判定された場合、判定部３１は、ステップＳ３を再度実行する。
【００２５】
ステップＳ５で「Ｙｅｓ」と判定された場合、起動部３２は、検出装置１００のモードを待機モードから起動モードに切り替える（ステップＳ６）。次に、判定部３１は、所定期間待機した後に（ステップＳ７）、照度センサ２２の出力信号を用いて照度を計測する（ステップＳ８）。次に、判定部３１は、ステップＳ８で計測される照度が閾値を上回ったか否かを判定する（ステップＳ９）。ステップＳ９で「Ｎｏ」と判定された場合、判定部３１は、ステップＳ７を再度実行する。
【００２６】
ステップＳ９で「Ｙｅｓ」と判定された場合、起動部３２は、検出装置１００のモードを起動モードから待機モードに切り替える（ステップＳ１０）。次に、判定部３１は、所定期間待機した後に（ステップＳ１１）、照度センサ２２の出力信号を用いて照度を計測する（ステップＳ１２）。次に、判定部３１は、ステップＳ１２で計測される照度が閾値を下回ったか否かを判定する（ステップＳ１３）。ステップＳ１３で「Ｎｏ」と判定された場合、判定部３１は、ステップＳ１１を再度実行する。ステップＳ１３で「Ｙｅｓ」と判定された場合、判定部３１は、ステップＳ１４を実行する。
【００２７】
本実施例によれば、照度センサ２２が出力する信号に応じて検出装置１００を起動させることができる。それにより、機械式スイッチなどを設ける必要がなくなる。それにより、検出装置を小型化することが可能となる。また、照度センサ２２の検出照度が閾値を上回った後に閾値を下回った場合に検出装置１００を起動させることから、被覆部材８０を取り外して検出装置１００を被取付対象に取り付けるだけで検出装置１００を起動させることができる。それにより、簡易な操作で検出装置１００を使用可能とすることができる。
【００２８】
また、検出装置１００の使用開始後に、照度が閾値を上回った場合に待機モードに切り替わることから、検出装置１００を被取付対象から取り外すだけでモードを待機モードに切り替えることができる。その後、照度が閾値を下回り、閾値を上回り、閾値を下回った場合に、モードが起動モードに切り替わることから、被覆部材８０の着脱を含め、検出装置１００を被取付対象に再度取り付けるだけでモードを起動モードに切り替えることができる。
【００２９】
なお、上記例においては、照度センサ２２の検出照度が高くなった場合を判定するための閾値と低くなった場合を判定するための閾値とを同じ値としているが、異なる値であってもよい。例えば、照度センサ２２の検出照度が高くなった場合を判定するための閾値を、低くなった場合を判定するための閾値よりも高く設定してもよい。
【００３０】
以上、本発明の実施例について詳述したが、本発明は係る特定の実施例に限定されるものではなく、特許請求の範囲に記載された本発明の要旨の範囲内において、種々の変形・変更が可能である。
【符号の説明】
【００３１】
１０  電源
２０  センサ部
２２  照度センサ
３０  コントローラ
４０  発光装置
５０  報知装置
６０  通信装置
７０  記憶装置
１００  検出装置
【図１】
0006347546.tif 000002
【図２】
0006347546.tif 000003
【図３】
0006347546.tif 000004
【図４】
0006347546.tif 000005
【図５】
0006347546.tif 000006